(57)【要約】【課題】第１の励起光の減衰に起因する蛍光の輝度の低下を防止して、表示面の輝度が均一な表示装置を提供する。【解決手段】本発明の表示装置は、第１の励起光ＥＬ１と第２の励起光ＥＬ２により励起されて蛍光を発する発光体を分散させて保持した表示媒体１１２と、第１の励起光ＥＬ１を発する第１の光源と、第１の励起光ＥＬ１を表示媒体１１２の内部に導入する第１の導入部材と、第２の励起光ＥＬ２を発する第２の光源と、第２の励起光ＥＬ２を表示媒体１１２の内部に導入する第２の導入部材と、第１の励起光ＥＬ１と第２の励起光ＥＬ２との交差点に形成される複数の発光点３１０，３２０について、第１の励起光ＥＬ１の進行方向に配列される複数の発光点３１０，３２０間で第１の励起準位の電子密度が同じになるように、第１の光源の出力を調整する制御部と、を有する。【選択図】図６Ａ
2018054751.tif 000002
【特許請求の範囲】
【請求項１】
基底準位の電子を第１の励起準位に励起する第１の励起光と、前記第１の励起準位の電子を第２の励起準位に励起する第２の励起光により励起されて蛍光を発する発光体を分散させて保持した表示媒体と、
前記第１の励起光を発する第１の光源と、
第１の方向に複数配列され、前記第１の光源から発せられた前記第１の励起光を前記表示媒体の内部に導入する第１の導入部材と、
前記第２の励起光を発する第２の光源と、
前記第１の方向と交差する第２の方向に複数配列され、前記第２の光源から発せられた前記第２の励起光を前記表示媒体の内部に導入する第２の導入部材と、
前記第１の励起光と前記第２の励起光との交差点に形成される複数の発光点について、前記第１の励起光の進行方向に配列される複数の前記発光点間で前記第１の励起準位の電子密度が同じになるように、前記第１の光源の出力を調整する制御部と、
を有する表示装置。
【請求項２】
前記制御部は、前記第１の励起光が入射される前記表示媒体の光入射面から前記発光点までの距離が遠いほど前記第１の光源の出力が増加するように、前記第１の光源の出力を調整する、請求項１に記載の表示装置。
【請求項３】
前記制御部は、前記第１の励起光の進行方向に配列される前記複数の発光点において、前記第１の励起準位の電子密度が飽和状態となるように、前記第１の光源の出力を調整する、請求項１または２に記載の表示装置。
【請求項４】
基底準位の電子を第１の励起準位に励起する第１の励起光と、前記第１の励起準位の電子を第２の励起準位に励起する第２の励起光により励起されて蛍光を発する発光体を分散させて保持した表示媒体と、
前記第１の励起光を発する第１の光源と、
第１の方向に複数配列され、前記第１の光源から発せられた前記第１の励起光を前記表示媒体の内部に導入する第１の導入部材と、
前記第２の励起光を発する第２の光源と、
前記第１の方向と交差する第２の方向に複数配列され、前記第２の光源から発せられた前記第２の励起光を前記表示媒体の内部に導入する第２の導入部材と、
前記第１の励起光と前記第２の励起光との交差点に形成される発光点を発光させる際、前記表示媒体の内部を進行する前記第１の励起光の減衰分を前記第２の励起光によって補完するように、前記第２の光源の出力を調整する第２の光源制御部と、
を有する表示装置。
【請求項５】
前記第１の励起光が入射される前記表示媒体の光入射面から前記発光点までの距離が遠いほど前記第１の光源の出力が増加するように、前記第１の光源の出力を調整する第１の光源制御部をさらに有する、請求項４に記載の表示装置。
【発明の詳細な説明】
【技術分野】
【０００１】
本発明は、表示装置に関する。
【背景技術】
【０００２】
２種類の波長の励起光により励起されると蛍光を発する発光体を分散させて保持した表示媒体を備え、蛍光により所定の情報を表示する表示装置がある（たとえば、特許文献１参照）。
【０００３】
特許文献１に開示される表示装置では、蛍光体微粒子を分散させて保持した表示部の内部に向かって、２種類の赤外光源から異なる波長の赤外光（第１および第２の励起光）が照射される。そして、第１の励起光と第２の励起光とが交差する点に存在する蛍光体微粒子が蛍光を発することにより、所定の情報が表示される。
【０００４】
蛍光体微粒子が蛍光を発する場合、まず、蛍光体微粒子内の基底状態の電子が第１の励起光により励起され、基底準位から第１の励起準位に遷移する。続いて、第１の励起準位の電子が第２の励起光により励起され、第１の励起準位から第２の励起準位に遷移する。そして、第２の励起準位の電子が基底準位に戻るとき、蛍光体微粒子が蛍光を発する。
【先行技術文献】
【特許文献】
【０００５】
【特許文献１】特許第５０５０１４０号公報
【発明の概要】
【発明が解決しようとする課題】
【０００６】
しかしながら、特許文献１の表示装置では、蛍光体微粒子を分散させて保持した表示部の内部を第１の励起光が進む場合、基底状態吸収や様々な輻射遷移・非輻射緩和の過程により、第１の励起光のエネルギーが常に消費される。このため、第１の励起光が表示部の内部を進むに連れて第１の励起光は大きく減衰し、蛍光の輝度が低下するという問題がある。第１の励起光の減衰に起因する蛍光の輝度の低下は、とりわけ表示面を大型化する場合、顕著な輝度のバラツキを発生させることになり、好ましくない。
【０００７】
本発明は、上述した問題を解決するためになされたものである。したがって、本発明の目的は、第１の励起光の減衰に起因する蛍光の輝度の低下を防止して、表示面の輝度が均一な表示装置を提供することである。
【課題を解決するための手段】
【０００８】
本発明の上記目的は、下記の手段によって達成される。
【０００９】
本発明の表示装置は、第１および第２の励起光により励起されて蛍光を発する発光体を分散させて保持した表示媒体を備えている。表示媒体の内部には、互いに交差する第１および第２の方向に複数配列された第１および第２の導入部材により、第１および第２の光源からそれぞれ発せられた第１および第２の励起光が導入される。そして、本発明の表示装置は、第１の励起光と第２の励起光との交差点に形成される複数の発光点について、第１の励起光の進行方向に配列される複数の発光点間で第１の励起準位の電子密度が同じになるように、第１の光源の出力を調整する。
【００１０】
また、本発明の表示装置は、第１の励起光と第２の励起光との交差点に形成される発光点を発光させる際、表示媒体の内部を進行する第１の励起光の減衰分を第２の励起光によって補完するように、第２の光源の出力を調整する。
【発明の効果】
【００１１】
本発明によれば、表示面の輝度が均一な表示装置を提供できる。
【図面の簡単な説明】
【００１２】
【図１】本発明の第１実施形態に係る蛍光発光ディスプレイの構成を模式的に示す斜視図である。
【図２】蛍光発光ディスプレイの発光原理を説明するための図である。
【図３】第１制御ユニットにより実行される第１励起光出力処理の手順を示すフローチャートである。
【図４】表示面上に配列される発光点を示す図である。
【図５】第２制御ユニットにより実行される第２励起光出力処理の手順を示すフローチャートである。
【図６Ａ】蛍光発光ディスプレイの第１および第２の発光点を示す図である。
【図６Ｂ】第１の発光点における蛍光体微粒子内の電子の状態を示す図である。
【図６Ｃ】第２の発光点における蛍光体微粒子内の電子の状態を示す図である。
【図７Ａ】蛍光発光ディスプレイの第１および第２の発光点を示す図である。
【図７Ｂ】第１の発光点における蛍光体微粒子内の電子の状態を示す図である。
【図７Ｃ】第２の発光点における蛍光体微粒子内の電子の状態を示す図である。
【図８】変形例に係る蛍光発光ディスプレイの構成を模式的に示す斜視図である。
【図９】本発明の第２実施形態に係る第１励起光出力処理の手順を示すフローチャートである。
【図１０】本発明の第２実施形態に係る第２励起光出力処理の手順を示すフローチャートである。
【図１１Ａ】蛍光発光ディスプレイの第１および第２の発光点を示す図である。
【図１１Ｂ】第１の発光点における蛍光体微粒子内の電子の状態を示す図である。
【図１１Ｃ】第２の発光点における蛍光体微粒子内の電子の状態を示す図である。
【図１２Ａ】本発明の第３実施形態に係る蛍光発光ディスプレイの作用効果を説明するための図である。
【図１２Ｂ】本発明の第３実施形態に係る蛍光発光ディスプレイの作用効果を説明するための図である。
【図１２Ｃ】本発明の第３実施形態に係る蛍光発光ディスプレイの作用効果を説明するための図である。
【図１３】本発明の第４実施形態に係る第１励起光出力処理の手順を示すフローチャートである。
【図１４】本発明の第４実施形態に係る第２励起光出力処理の手順を示すフローチャートである。
【図１５Ａ】蛍光発光ディスプレイの第１および第２の発光点を示す図である。
【図１５Ｂ】第１の発光点における蛍光体微粒子内の電子の状態を示す図である。
【図１５Ｃ】第２の発光点における蛍光体微粒子内の電子の状態を示す図である。
【図１６Ａ】本発明の第５実施形態に係る蛍光発光ディスプレイの作用効果を説明するための図である。
【図１６Ｂ】本発明の第５実施形態に係る蛍光発光ディスプレイの作用効果を説明するための図である。
【図１６Ｃ】本発明の第５実施形態に係る蛍光発光ディスプレイの作用効果を説明するための図である。
【発明を実施するための形態】
【００１３】
以下、図面を参照して、本発明の実施形態を説明する。なお、図中、同様の部材には同一の符号を用いた。また、図面の寸法比率は、説明の都合上誇張される場合があり、実際の比率とは異なる場合がある。
【００１４】
（第１実施形態）
図１は、本発明の第１実施形態に係る蛍光発光ディスプレイ１００の構成を模式的に示す斜視図である。
【００１５】
図１に示すとおり、本実施形態の蛍光発光ディスプレイ１００は、表示装置として、表示ユニット１１０、第１光源ユニット１２０、第２光源ユニット１３０、第１制御ユニット１４０、および第２制御ユニット１５０を備える。
【００１６】
表示ユニット１１０は、緑色の蛍光ＲＬ１により情報を表示する。表示ユニット１１０は、第１および第２の励起光ＥＬ１，ＥＬ２により励起されて緑色の蛍光ＲＬ１を発する蛍光体微粒子１１１を均一かつ密に分散させて保持した表示フィルム１１２を含んでいる。表示フィルム１１２は、透明な樹脂により構成された矩形状のフィルム部材であり、表示面１１２ａに種々の情報を表示する。なお、本実施形態とは異なり、表示フィルム１１２は、透明ガラスにより構成されてもよい。
【００１７】
第１光源ユニット１２０は、表示ユニット１１０に第１の励起光ＥＬ１を供給する。第１光源ユニット１２０は、第１の光源１２１、第１の配光器１２２、複数の第１の光ファイバ１２３、および複数の第１のコリメータレンズ１２４を備える。第１の光源１２１は、レーザダイオードおよび集光レンズ等から構成され、赤外光である第１の励起光ＥＬ１を発する。第１の配光器１２２は、第１の光源１２１から発せられた第１の励起光ＥＬ１を複数の第１の光ファイバ１２３の中の１つの光ファイバ１２３に選択的に伝搬する。第１の光ファイバ１２３は、第１の光源１２１から発せられた第１の励起光ＥＬ１を第１のコリメータレンズ１２４に伝搬する。第１のコリメータレンズ１２４は、第１の導入部材として、表示フィルム１１２の第１端面１１２ｂに対向するようにＸ方向に複数配列されており、第１の励起光ＥＬ１をコリメートしつつ表示フィルム１１２の内部に導入する。
【００１８】
第２光源ユニット１３０は、表示ユニット１１０に第２の励起光ＥＬ２を供給する。第２光源ユニット１３０は、第２の光源１３１、第２の配光器１３２、複数の第２の光ファイバ１３３、および複数の第２のコリメータレンズ１３４を備える。第２の光源１３１は、レーザダイオードおよび集光レンズ等から構成され、第１の励起光ＥＬ１とは異なる波長の赤外光である第２の励起光ＥＬ２を発する。第２の配光器１３２は、第２の光源１３１から発せられた第２の励起光ＥＬ２を複数の第２の光ファイバ１３３の中の１つの光ファイバ１３３に選択的に伝搬する。第２の光ファイバ１３３は、第２の光源１３１から発せられた第２の励起光ＥＬ２を第２のコリメータレンズ１３４に伝搬する。第２のコリメータレンズ１３４は、第２の導入部材として、表示フィルム１１２の第２端面１１２ｃに対向するようにＹ方向に複数配列されており、第２の励起光ＥＬ２をコリメートしつつ表示フィルム１１２の内部に導入する。
【００１９】
第１制御ユニット１４０は、制御部として、第１光源ユニット１２０を制御する。第１制御ユニット１４０は、ＣＰＵおよび各種メモリを備えており、プログラムにしたがって第１の光源１２１および第１の配光器１２２の動作を制御する。第１制御ユニット１４０には、表示フィルム１１２の第１端面１１２ｂからの距離と第１の励起光ＥＬ１の減衰量との関係を示す第１マップ情報が登録されている。また、第１制御ユニット１４０には、設定輝度と第１の励起光ＥＬ１の強度との関係を示す第２マップ情報、および、第１の励起光ＥＬ１の強度と第１の光源１２１の出力との関係を示す第３マップ情報が登録されている。
【００２０】
第２制御ユニット１５０は、第２光源ユニット１３０を制御する。第２制御ユニット１５０は、ＣＰＵおよび各種メモリを備えており、プログラムにしたがって第２の光源１３１および第２の配光器１３２の動作を制御する。第２制御ユニット１５０には、設定輝度と第２の励起光ＥＬ２の強度との関係を示す第４マップ情報、および、第２の励起光ＥＬ２の強度と第２の光源１３１の出力との関係を示す第５マップ情報が登録されている。
【００２１】
第１および第２制御ユニット１４０，１５０は、たとえば、上位の制御装置（不図示）により互いに同期するように制御される。第１および第２制御ユニット１４０，１５０が、第１および第２の励起光ＥＬ１，ＥＬ２を適切なタイミングで表示ユニット１１０に供給する制御を行うことにより、種々の情報が表示される。なお、本実施形態とは異なり、第１制御ユニット１４０と第２制御ユニット１５０とは一体的に構成されてもよい。
【００２２】
次に、図２を参照して、蛍光発光ディスプレイ１００の発光原理について詳細に説明する。
【００２３】
図２は、蛍光発光ディスプレイ１００の発光原理を説明するための図である。上述したとおり、本実施形態の蛍光発光ディスプレイ１００では、表示媒体としての表示フィルム１１２の内部に分散された蛍光体微粒子１１１が第１および第２の励起光ＥＬ１，ＥＬ２により励起されて緑色の蛍光ＲＬ１を発する。
【００２４】
具体的には、図２に示すとおり、発光体としての蛍光体微粒子１１１に第１の励起光ＥＬ１が照射されれば、蛍光体微粒子１１１の発光材内の電子が基底準位２００から第１の励起準位２１０に遷移する。加えて、蛍光体微粒子１１１に第２の励起光ＥＬ２が照射されれば、第１の励起準位２１０の電子が第２の励起準位２２０に遷移する。そして、第２の励起準位２２０に遷移した電子が基底準位２００に戻るとき、可視光である緑色の蛍光ＲＬ１が発光される。
【００２５】
蛍光体微粒子１１１は、たとえば、母材のハロゲン化物のフッ化ナトリウムイットリウム（ＮａＹＦ４）に対して発光材のエルビウム（Ｅｒ）をドープして構成される。第１の励起光ＥＬ１は波長１５５０ｎｍの赤外光であり、第２の励起光ＥＬ２は波長８５０ｎｍの赤外光である。
【００２６】
第１および第２の励起光ＥＬ１，ＥＬ２は、表示フィルム１１２の内部を進む場合、表示フィルム１１２を構成する樹脂による吸収や、微小な凹凸・不純物による散乱によって減衰する。とりわけ、第１の励起光ＥＬ１は、第１の励起光ＥＬ１に特有の基底状態吸収によってエネルギーが常に消費され、第２の励起光ＥＬ２に比べて大きく減衰する。
【００２７】
なお、蛍光体微粒子１１１から発せられる緑色の蛍光ＲＬ１の輝度は、第２の励起準位２２０の電子密度に略比例する。また、第１の励起光ＥＬ１により励起されて基底準位２００から第１の励起準位２１０に遷移する電子数（つまり、第１の励起準位２１０の電子密度）は、蛍光体微粒子１１１に照射される第１の励起光ＥＬ１の強度に略比例する。同様に、第２の励起光ＥＬ２により励起されて第１の励起準位２１０から第２の励起準位２２０に遷移する電子数（つまり、第２の励起準位２２０の電子密度）は、蛍光体微粒子１１１に照射される第２の励起光ＥＬ２の強度に略比例する。
【００２８】
以上のとおり構成される蛍光発光ディスプレイ１００では、第１の励起光ＥＬ１と第２の励起光ＥＬ２とが交差する表示フィルム１１２内の点が蛍光ＲＬ１を発する発光点３００（図４参照）として機能する。そして、表示フィルム１１２内にマトリクス状に配列される複数の発光点３００の発光／非発光および発光輝度を制御しつつ、複数の発光点３００を１点ずつ順番に発光させることにより、種々の情報が表示面１１２ａに表示される。このとき、第１の励起光ＥＬ１の減衰に起因する発光点３００の輝度の低下を防止するために、第１の励起光ＥＬ１が入射される表示フィルム１１２の第１端面１１２ｂから発光点３００までの距離に応じて、第１の光源１２１の出力が調整される。以下、図３〜図７Ｃを参照して、蛍光発光ディスプレイ１００の動作について詳細に説明する。
【００２９】
まず、図３を参照して、第１光源ユニット１２０の動作について説明する。
【００３０】
図３は、第１制御ユニット１４０により実行される第１励起光出力処理の手順を示すフローチャートである。なお、図３のフローチャートにより示されるアルゴリズムは、第１制御ユニット１４０のメモリにプログラムとして記憶されており、ＣＰＵによって実行される。また、以下では、図４に示すとおり、表示フィルム１１２の表示面１１２ａ上で第１の励起光ＥＬ１の進行方向（Ｙ方向）に延びるＸ２列上の発光点３００を、位置Ｘ２，Ｙ１の発光点３００から順番に発光させる場合を例に挙げて説明する。
【００３１】
まず、第１制御ユニット１４０は、発光位置Ｘ２，Ｙｎの変数ｎにｎ＝１を設定する（ステップＳ１０１）。
【００３２】
次に、第１制御ユニット１４０は、発光位置Ｘ２，Ｙｎの発光点３００の設定輝度を認識し、設定輝度に必要な第１の励起光ＥＬ１の強度を設定する（ステップＳ１０２）。より具体的には、第１制御ユニット１４０は、設定輝度と第１の励起光ＥＬ１の強度との関係を示す第２マップ情報を参照して、位置Ｘ２，Ｙｎの発光点３００に対して要求される輝度から、第１の励起光ＥＬ１の強度を設定する。
【００３３】
次に、第１制御ユニット１４０は、位置Ｙｎにおける第１の励起光ＥＬ１の減衰量を推定する（ステップＳ１０３）。より具体的には、第１制御ユニット１４０は、表示フィルム１１２の第１端面１１２ｂからの距離と第１の励起光ＥＬ１の減衰量との関係を示す第１マップ情報を参照して、位置Ｙｎにおける第１の励起光ＥＬ１の減衰量を推定する。
【００３４】
次に、第１制御ユニット１４０は、第１の光源１２１の出力を設定する（ステップＳ１０４）。より具体的には、第１制御ユニット１４０は、ステップＳ１０２に示す処理で設定した第１の励起光ＥＬ１の強度（設定強度）と、ステップＳ１０３に示す処理で推定した第１の励起光ＥＬ１の減衰量とから、第１の光源１２１の出力を設定する。第１制御ユニット１４０は、第１の励起光ＥＬ１の強度と第１の光源１２１の出力との関係を示す第３マップ情報を参照して、位置Ｘ２，Ｙｎにおける第１の励起光ＥＬ１の強度が設定強度になるように、第１の光源１２１の出力を設定する。
【００３５】
次に、第１制御ユニット１４０は、第１の光源１２１を制御して、ステップＳ１０４に示す処理で設定した出力で第１の励起光ＥＬ１を出力させる（ステップＳ１０５）。
【００３６】
そして、第１制御ユニット１４０は、第１の配光器１２２を制御して、第１の光源１２１から出力された第１の励起光ＥＬ１を位置Ｘ２の第１の光ファイバ１２３に導入する（ステップＳ１０５）。その結果、位置Ｘ２の第１の光ファイバ１２３から、第１のコリメータレンズ１２４を介して、表示フィルム１１２の内部に第１の励起光ＥＬ１が導入される。第１の励起光ＥＬ１は、表示フィルム１１２の内部をＹ方向に直線的に進む。このとき、第１光源ユニット１２０と同期して第２光源ユニット１３０が制御され、位置Ｙｎの第２の光ファイバ１３３から表示フィルム１１２の内部に第２の励起光ＥＬ２が導入される。第２の励起光ＥＬ２は、表示フィルム１１２の内部をＸ方向に直線的に進む。そして、第１の励起光ＥＬ１と第２の励起光ＥＬ２とは位置Ｘ２，Ｙｎで交差し、位置Ｘ２，Ｙｎの発光点３００が設定輝度で発光する。
【００３７】
次に、第１制御ユニット１４０は、Ｘ２列上のすべての発光点３００の発光が終了したか否かを判断する（ステップＳ１０７）。すべての発光点３００の発光が終了していないと判断する場合（ステップＳ１０７：ＮＯ）、第１制御ユニット１４０は、発光位置Ｘ２，Ｙｎの変数ｎを１増加して（ステップＳ１０８）、ステップＳ１０２の処理に戻る。
【００３８】
一方、すべての発光点３００の発光が終了したと判断する場合（ステップＳ１０７：ＹＥＳ）、第１制御ユニット１４０は、処理を終了する。
【００３９】
以上のとおり、図３に示すフローチャートの処理によれば、Ｘ２列上の発光点３００が順番に発光するように、第１の励起光ＥＬ１が表示フィルム１１２の内部に繰り返し導入される。このとき、第１の励起光ＥＬ１の減衰量が推定され、減衰量を補完するように第１の光源１２１の出力が調整される。具体的には、表示フィルム１１２の第１端面１１２ｂから発光点３００までの距離が遠いほど、第１の光源１２１の出力が増加するように、第１の光源１２１の出力が調整される。このような構成によれば、設定輝度が同じであれば、第１の励起光ＥＬ１の強度がすべての発光点３００で同じになる。その結果、すべての発光点３００が同じ輝度で発光し、表示面１１２ａの輝度が均一化される。
【００４０】
次に、図５を参照して、第２光源ユニット１３０の動作について説明する。
【００４１】
図５は、第２制御ユニット１５０により実行される第２励起光出力処理の手順を示すフローチャートである。なお、図５のフローチャートにより示されるアルゴリズムは、第２制御ユニット１５０のメモリにプログラムとして記憶されており、ＣＰＵによって実行される。
【００４２】
まず、第２制御ユニット１５０は、発光位置Ｘ２，Ｙｎの変数ｎにｎ＝１を設定する（ステップＳ２０１）。
【００４３】
次に、第２制御ユニット１５０は、発光位置Ｘ２，Ｙｎの発光点３００の設定輝度を認識し、設定輝度に必要な第２の励起光ＥＬ２の強度を設定する（ステップＳ２０２）。より具体的には、第２制御ユニット１５０は、設定輝度と第２の励起光ＥＬ２の強度との関係を示す第４マップ情報を参照して、位置Ｘ２，Ｙｎの発光点３００に対して要求される輝度から、第２の励起光ＥＬ２の強度を設定する。
【００４４】
次に、第２制御ユニット１５０は、第２の光源１３１の出力を設定する（ステップＳ２０３）。より具体的には、第２制御ユニット１５０は、第２の励起光ＥＬ２の強度と第２の光源１３１の出力との関係を示す第５マップ情報を参照して、ステップＳ２０２に示す処理で設定した第２の励起光ＥＬ２の強度から、第２の光源１３１の出力を設定する。
【００４５】
次に、第２制御ユニット１５０は、第２の光源１３１を制御して、ステップＳ２０３に示す処理で設定した出力で第２の励起光ＥＬ２を出力させる（ステップＳ２０４）。
【００４６】
そして、第２制御ユニット１５０は、第２の配光器１３２を制御して、第２の光源１３１から発せられた第２の励起光ＥＬ２を位置Ｙｎの第２の光ファイバ１３３に導入する（ステップＳ２０５）。その結果、位置Ｙｎの第２の光ファイバ１３３から、第２のコリメータレンズ１３４を介して、表示フィルム１１２の内部に第２の励起光ＥＬ２が導入される。第２の励起光ＥＬ２は、表示フィルム１１２の内部をＸ方向に直線的に進む。表示フィルム１１２の内部を直線的に進む第２の励起光ＥＬ２は、位置Ｘ２，Ｙｎで第１の励起光ＥＬ１と交差し、位置Ｘ２，Ｙｎの発光点３００が設定輝度で発光する。
【００４７】
次に、第２制御ユニット１５０は、Ｘ２列上のすべての発光点３００の発光が終了したか否かを判断する（ステップＳ２０６）。すべての発光点３００の発光が終了していないと判断する場合（ステップＳ２０６：ＮＯ）、第２制御ユニット１５０は、発光位置Ｘ２，Ｙｎの変数ｎを１増加して（ステップＳ２０７）、ステップＳ２０２の処理に戻る。
【００４８】
一方、すべての発光点３００の発光が終了したと判断する場合（ステップＳ２０６：ＹＥＳ）、第２制御ユニット１５０は、処理を終了する。
【００４９】
以上のとおり、図５に示すフローチャートの処理によれば、Ｘ２列上の発光点３００が順番に発光するように、第２の励起光ＥＬ２が表示フィルム１１２の内部に繰り返し導入される。
【００５０】
次に、図６Ａ〜図７Ｃを参照して、本実施形態に係る蛍光発光ディスプレイ１００の作用効果について詳細に説明する。
【００５１】
図６Ａ〜図６Ｃは、本実施形態に係る蛍光発光ディスプレイ１００の発光状態を説明するための図であり、図７Ａ〜図７Ｃは、比較例として、一般的な蛍光発光ディスプレイの発光状態を説明するための図である。
【００５２】
図６Ａおよび図７Ａは、蛍光発光ディスプレイの表示面１１２ａ上の第１および第２の発光点３１０，３２０を示す図である。図６Ｂおよび図７Ｂは、第１の発光点３１０における蛍光体微粒子１１１内の電子の状態を示す図である。図６Ｃおよび図７Ｃは、第２の発光点３２０における蛍光体微粒子１１１内の電子の状態を示す図である。なお、以下では、すべての発光点３００の設定輝度が同じ場合を例に挙げて説明する。
【００５３】
図７Ａに示すとおり、一般的な蛍光発光ディスプレイでは、表示フィルム１１２の第１端面１１２ｂから発光点３００までの距離に関わらず、第１の光源１２１の出力が一定に維持される。したがって、第１の励起光ＥＬ１の減衰により、表示フィルム１１２の第１端面１１２ｂから発光点３００までの距離が遠いほど、第１の励起光ＥＬ１の強度が小さくなる。具体的には、第２の発光点３２０の方が第１の発光点３１０よりも第１端面１１２ｂから遠い場合、第２の発光点３２０における第１の励起光ＥＬ１の強度が、第１の発光点３１０における第１の励起光ＥＬ１の強度よりも小さくなる。
【００５４】
このような構成によれば、図７Ｂおよび図７Ｃに示すとおり、第２の発光点３２０の蛍光体微粒子１１１における第１の励起準位２１０の電子密度が、第１の発光点３１０の蛍光体微粒子１１１における第１の励起準位２１０の電子密度よりも低くなる。したがって、一般的な蛍光発光ディスプレイでは、第２の励起準位２２０の電子密度も第２の発光点３２０の方が低くなり、第２の発光点３２０の輝度が第１の発光点３１０の輝度よりも低くなる。その結果、一般的な蛍光発光ディスプレイでは、表示面１１２ａの輝度にバラツキが生じる。
【００５５】
一方、図６Ａに示すとおり、本実施形態の蛍光発光ディスプレイ１００では、第１の励起光ＥＬ１の強度が表示面１１２ａ内のすべての発光点３００で同じになるように、第１の光源１２１の出力が調整される。具体的には、表示フィルム１１２の第１端面１１２ｂからの距離が第１の発光点３１０よりも遠い第２の発光点３２０を発光させる場合、第１の光源１２１の出力が増加される。
【００５６】
このような構成によれば、図６Ｂおよび図６Ｃに示すとおり、第１の励起準位２１０の電子密度が第１および第２の発光点３１０，３２０間で同じになる。したがって、第２の励起準位２２０の電子密度も同じになり、第１および第２の発光点３１０，３２０の輝度も同じになる。その結果、本実施形態の蛍光発光ディスプレイ１００によれば、表示面１１２ａの輝度が均一化される。
【００５７】
以上のとおり、説明した本実施形態は、以下の効果を奏する。
【００５８】
（ａ）設定輝度が同じであれば、第１の励起準位２１０の電子密度がすべての発光点３００で同じなるように、第１の光源１２１の出力が調整される。したがって、第１の励起光ＥＬ１の減衰に起因する発光点３００の輝度の低下が防止され、表示面１１２ａの輝度を均一化できる。その結果、表示面１１２ａを大型化することが可能になる。
【００５９】
（ｂ）表示フィルム１１２の第１端面１１２ｂから発光点３００までの距離が遠いほど、第１の光源１２１の出力が増加するように、第１の光源１２１の出力が調整される。したがって、第１の光源１２１の消費エネルギーを最小限に抑制しつつ、発光点３００の輝度を均一化できる。また、第２の励起光ＥＬ２の強度制御を情報表示のための制御に特化でき、第２の光源１３１の制御が簡素化される。さらに、第１の励起光ＥＬ１が入射される光入射面を表示フィルム１１２の長辺側の端面に設けることにより、第１の光源１２１として低出力の光源を使用できる。
【００６０】
（変形例）
なお、上述した実施形態では、緑色の蛍光ＲＬ１により情報が単色表示された。しかしながら、緑色、赤色、および青色の蛍光ＲＬ１，ＲＬ２，ＲＬ３により情報がカラー表示されてもよい。
【００６１】
図８は、変形例に係る蛍光発光ディスプレイ１００の構成を模式的に示す斜視図である。変形例に係る蛍光発光ディスプレイ１００では、表示フィルム１１２に、緑色の蛍光ＲＬ１を発する蛍光体微粒子１１１に加え、赤色の蛍光ＲＬ２を発する蛍光体微粒子１１３および青色の蛍光ＲＬ３を発する蛍光体微粒子１１４が分散されている。
【００６２】
蛍光体微粒子１１３は、たとえば、母材のＮａＹＦ４に対して発光材のプラセオジウム（Ｐｒ）をドープして構成される。蛍光体微粒子１１３は、第３の励起光ＥＬ３（赤外光である波長１０１４ｎｍの光）と第４の励起光ＥＬ４（赤外光である波長８４０ｎｍの光）によって励起されると赤色の蛍光ＲＬ２を発する。
【００６３】
蛍光体微粒子１１４は、たとえば、母材のＮａＹＦ４に対して発光材のツリウム（Ｔｍ）をドープして構成される。蛍光体微粒子１１４は、第５の励起光ＥＬ５（赤外光である波長８００ｎｍの光）と第６の励起光ＥＬ６（赤外光である波長１１２０ｎｍの光）によって励起されると青色の蛍光ＲＬ３を発する。
【００６４】
第１光源ユニット１２０は、上述した構成に加えて、第３の励起光ＥＬ３を発する第３の光源１２５、第５の励起光ＥＬ５を発する第５の光源１２６、ならびに第１、第３、および第５の励起光ＥＬ１，ＥＬ３，ＥＬ５を合波する第１の合波器１２７を備える。第３および第５の光源１２５，１２６は、第１制御ユニット１４０により制御される。
【００６５】
第２光源ユニット１３０は、上述した構成に加えて、第４の励起光ＥＬ４を発する第４の光源１３５、第６の励起光ＥＬ６を発する第６の光源１３６、ならびに第２、第４、および第６の励起光ＥＬ２，ＥＬ４，ＥＬ６を合波する第２の合波器１３７を備える。第４および第６の光源１３５，１３６は、第２制御ユニット１５０により制御される。
【００６６】
以上のとおり構成される蛍光発光ディスプレイ１００では、第１、第３、および第５の励起光ＥＬ１，ＥＬ３，ＥＬ５が表示フィルム１１２の第１端面１１２ｂから導入され、表示フィルム１１２の内部を直線的に進む。その一方で、第２、第４、および第６の励起光ＥＬ２，ＥＬ４，ＥＬ６が表示フィルム１１２の第２端面１１２ｃから導入され、表示フィルム１１２の内部を直線的に進む。そして、第１、第３、および第５の励起光ＥＬ１，ＥＬ３，ＥＬ５と第２、第４、および第６の励起光ＥＬ２，ＥＬ４，ＥＬ６とが交差する位置の発光点３００が、緑色、赤色、および青色の蛍光ＲＬ１，ＲＬ２，ＲＬ３を発する。その結果、表示面１１２ａに所定の情報がカラー表示される。
【００６７】
本変形例では、第１、第３、および第５の励起光ＥＬ１，ＥＬ３，ＥＬ５の減衰に起因する輝度の低下を防止するため、表示フィルム１１２の第１端面１１２ｂからの距離に応じて、第１、第３、および第５の光源１２１，１２５，１２６の出力が調整される。したがって、設定輝度が同じであれば、第１の励起準位２１０の電子密度がすべての発光点３００の蛍光体微粒子１１１，１１３，１１４で同じになる。その結果、すべての発光点３００が同じ輝度で発光し、表示面１１２ａの輝度が均一化される。
【００６８】
なお、第１、第３、および第５の励起光ＥＬ１，ＥＬ３，ＥＬ５の表示フィルム１１２に対する減衰特性は互いに異なる。このため、本変形例では、表示フィルム１１２の第１端面１１２ｂからの距離と各励起光の減衰量との関係を示す第１マップ情報は、励起光毎に作成され、第１制御ユニット１４０にそれぞれ登録される。
【００６９】
また、本変形例では、第１〜第６の光源１２１，１２５，１２６，１３１，１３５，１３６が第１および第２制御ユニット１４０，１５０により制御される。しかしながら、本変形例とは異なり、第３〜第６制御ユニットが追加的に備えられ、第１〜第６の光源１２１，１２５，１２６，１３１，１３５，１３６が第１〜第６制御ユニットによりそれぞれ制御されてもよい。
【００７０】
（第２実施形態）
次に、図９〜図１１Ｃを参照して、本発明の第２実施形態について説明する。本実施形態は、第１の励起準位２１０の電子密度をすべての発光点３００で飽和状態にする実施形態である。
【００７１】
図９は、本実施形態に係る第１励起光出力処理の手順を示すフローチャートである。なお、第１および第２の光源１２１，１３１の制御内容が異なる点を除いては、本実施形態に係る蛍光発光ディスプレイ１００の構成は、第１実施形態と同様であるため、蛍光発光ディスプレイ１００の構成についての説明は省略する。また、以下でも、Ｘ２列上の発光点３００を順番に発光させる場合を例に挙げて説明する。
【００７２】
まず、第１制御ユニット１４０は、第１の光源１２１を制御して、所定の出力で第１の励起光ＥＬ１を出力させる（ステップＳ３０１）。ここで、所定の出力は、表示フィルム１１２の第１端面１１２ｂからの距離が最も遠い発光点３００において、第１の励起準位２１０の電子密度が飽和状態になる出力である。言い換えれば、所定の出力は、表示フィルム１１２のすべての発光点３００において、第１の励起準位２１０の電子密度が飽和状態になる出力である。
【００７３】
次に、第１制御ユニット１４０は、第１の配光器１２２を制御して、第１の光源１２１から発せられた第１の励起光ＥＬ１を位置Ｘ２の第１の光ファイバ１２３に導入する（ステップＳ３０２）。その結果、位置Ｘ２の第１の光ファイバ１２３から表示フィルム１１２の内部に第１の励起光ＥＬ１が導入される。このとき、第１光源ユニット１２０と同期して第２光源ユニット１３０が制御され、位置Ｙｎの第２の光ファイバ１３３から表示フィルム１１２の内部に第２の励起光ＥＬ２が導入される。第２の励起光ＥＬ２は、設定輝度に応じて強度が調整されている。第１の励起光ＥＬ１と第２の励起光ＥＬ２とは位置Ｘ２，Ｙｎで交差し、位置Ｘ２，Ｙｎの発光点３００が設定輝度で発光する。
【００７４】
次に、第１制御ユニット１４０は、Ｘ２列上のすべての発光点３００の発光が終了したか否かを判断する（ステップＳ３０３）。すべての発光点３００の発光が終了していないと判断する場合（ステップＳ３０３：ＮＯ）、第１制御ユニット１４０は、ステップＳ３０１の処理に戻る。
【００７５】
一方、すべての発光点３００の発光が終了したと判断する場合（ステップＳ３０３：ＹＥＳ）、第１制御ユニット１４０は、処理を終了する。
【００７６】
以上のとおり、図９に示すフローチャートの処理によれば、Ｘ２列上の発光点３００が順番に発光するように、第１の励起光ＥＬが表示フィルム１１２の内部に繰り返し導入される。このとき、第１の励起準位２１０の電子密度がすべての発光点３００で飽和状態になるように、第１の光源１２１の出力が調整される。このような構成によれば、第１の励起準位２１０の電子密度がすべての発光点３００で同じになる。その結果、設定輝度が同じであれば、すべての発光点３００が同じ輝度で発光し、表示面１１２ａの輝度が均一化される。
【００７７】
次に、図１０を参照して、第２光源ユニット１３０の動作について説明する。
【００７８】
図１０は、本実施形態に係る第２励起光出力処理の手順を示すフローチャートである。
【００７９】
まず、第２制御ユニット１５０は、発光位置Ｘ２，Ｙｎの変数ｎにｎ＝１を設定する（ステップＳ４０１）。
【００８０】
次に、第２制御ユニット１５０は、発光位置Ｘ２，Ｙｎの発光点３００の設定輝度を認識し、設定輝度に必要な第２の励起光ＥＬ２の強度を設定する（ステップＳ４０２）。より具体的には、第２制御ユニット１５０は、第１の励起準位２１０の電子密度が飽和状態にあることを前提として、第２の励起光ＥＬ２の強度により設定輝度が実現されるように、所定のマップ情報を参照して、第２の励起光ＥＬ２の強度を設定する。
【００８１】
次に、第２制御ユニット１５０は、第２の光源１３１の出力を設定する（ステップＳ４０３）。ステップＳ４０３以下の処理は、図５のステップＳ２０３以下の処理と同様であるため、ステップＳ４０３以下の処理についての説明は省略する。
【００８２】
以上のとおり、図１０に示すフローチャートの処理によれば、Ｘ２列上の発光点３００が順番に発光するように、第２の励起光ＥＬ２が表示フィルム１１２の内部に繰り返し導入される。このとき、第１の励起準位２１０の電子密度が飽和状態にあることを前提として、第２の励起光ＥＬ２の強度が設定され、設定された強度に対応する出力で第２の光源１２１から第２の励起光ＥＬ２が出力される。
【００８３】
次に、図１１Ａ〜図１１Ｃを参照して、本実施形態に係る蛍光発光ディスプレイ１００の作用効果について詳細に説明する。
【００８４】
図１１Ａは、蛍光発光ディスプレイ１００の表示面１１２ａ上の第１および第２の発光点３１０，３２０を示す図である。図１１Ｂおよび図１１Ｃは、第１および第２の発光点３１０，３２０における蛍光体微粒子１１１内の電子の状態を示す図である。なお、以下では、すべての発光点３００の設定輝度が同じ場合を例に挙げて説明する。
【００８５】
図１１Ａに示すとおり、本実施形態の蛍光発光ディスプレイ１００では、第１の励起準位２１０の電子密度がすべての発光点３００で飽和状態になるように、第１の光源１２１の出力が調整される。そして、表示フィルム１１２の第１端面１１２ｂから発光点３００までの距離に関わらず、調整された出力で第１の光源１２１から第１の励起光ＥＬ１が出力される。
【００８６】
このような構成によれば、図１１Ｂおよび図１１Ｃに示すとおり、表示フィルム１１２の第１端面１１２ｂからの距離が異なる第１および第２の発光点３１０，３２０間で第１の励起準位２１０の電子密度が同じになる。したがって、第２の励起準位２２０の電子密度も同じになり、第１および第２の発光点３１０，３２０の輝度も同じになる。その結果、表示面１１２ａの輝度が均一化される。
【００８７】
以上のとおり、説明した本実施形態は、第１実施形態の効果に加えて、以下の効果を奏する。
【００８８】
（ｃ）第１の励起準位２１０の電子密度がすべての発光点３００で飽和状態になるように、第１の光源１２１の出力が調整されるため、発光点３００毎に第１の光源１２１の出力を調整する必要がない。このため、第１の光源１２１をＯＮ／ＯＦＦ制御するだけでよく、蛍光発光ディスプレイ１００の構成が簡素化され、製造コストが抑制される。
【００８９】
（第３実施形態）
次に、図１２Ａ〜図１２Ｃを参照して、本発明の第３実施形態について説明する。本実施形態は、第１実施形態と第２実施形態とを組み合わせて実施する実施形態である。
【００９０】
図１２Ａ〜図１２Ｃは、本実施形態に係る蛍光発光ディスプレイ１００の作用効果を説明するための図である。なお、以下では、すべての発光点３００の設定輝度が同じ場合を例に挙げて説明する。
【００９１】
本実施形態の蛍光発光ディスプレイ１００では、表示フィルム１１２の第１端面１１２ｂからの距離が近い発光点３００を発光させる場合、一定の出力で第１の光源１２１がＯＮ／ＯＦＦ制御される。一方、表示フィルム１１２の第１端面１１２ｂからの距離が遠い発光点３００を発光させる場合、第１の光源１２１の出力が一時的に増加される。
【００９２】
具体的には、図１２Ａおよび図１２Ｂに示すとおり、表示フィルム１１２の第１端面１１２ｂからの距離が近い第１および第２の発光点３１０，３２０を発光させる場合、第１の光源１２１は、所定の出力で第１の励起光ＥＬ１を出力する。ここで、所定の出力は、第１および第２の発光点３１０，３２０の両方で第１の励起準位２１０の電子密度が飽和状態になり、第１端面１１２ｂからの距離が遠い第３の発光点３３０において、第１の励起準位２１０の電子密度が飽和状態にならない出力である。
【００９３】
そして、本実施形態の蛍光発光ディスプレイ１００では、図１２Ｃに示すとおり、第３の発光点３３０を発光させる場合、第１の励起準位２１０の電子密度が飽和状態になるように、第１の光源１２１の出力が所定の出力から一時的に増加される。
【００９４】
このような構成によれば、上述した第２実施形態に比べ、所定の出力を小さくでき、第１の光源１２１の消費エネルギーを抑制できる。また、上述した第１実施形態に比べ、第１の光源１２１の制御を簡素化できる。
【００９５】
以上のとおり、説明した本実施形態は、第１および第２実施形態の効果に加えて、以下の効果を奏する。
【００９６】
（ｄ）表示フィルム１１２の第１端面１１２ｂに近い発光点３１０，３２０については、第１の励起準位２１０の電子密度を飽和状態に維持する一方で、第１端面１１２ｂから遠い発光点３３０については、発光時のみ電子密度を飽和状態にする。したがって、第１端面１１２ｂに近い発光点３１０，３２０について、第１の励起光ＥＬ１の強度を過度に増加させる必要がなく、第１の光源１２１の消費エネルギーを抑制できる。また、第１の励起光ＥＬ１が伝搬される各部の負荷が緩和され、蛍光発光ディスプレイ１００の信頼性が向上する。
【００９７】
（第４実施形態）
次に、図１３〜図１５Ｃを参照して、本発明の第４実施形態について説明する。本実施形態は、第１の励起光ＥＬ１の減衰分を第２の励起光ＥＬ２によって補完する実施形態である。
【００９８】
図１３は、本実施形態に係る第１励起光出力処理の手順を示すフローチャートである。なお、第１および第２の光源１２１，１３１の制御内容が異なる点を除いては、本実施形態に係る蛍光発光ディスプレイ１００の構成は、第１実施形態と同様であるため、蛍光発光ディスプレイ１００の構成についての説明は省略する。また、以下でも、Ｘ２列上の発光点３００を順番に発光させる場合を例に挙げて説明する。
【００９９】
まず、第１制御ユニット１４０は、第１の光源１２１を制御して、所定の出力で第１の励起光ＥＬ１を出力させる（ステップＳ５０１）。ここで、所定の出力は、たとえば、第１の励起準位２１０の電子密度が、すべての発光点３００において飽和状態にならない出力である。
【０１００】
次に、第１制御ユニット１４０は、第１の配光器１２２を制御して、第１の光源１２１から発せられた第１の励起光ＥＬ１を位置Ｘ２の第１の光ファイバ１２３に導入する（ステップＳ５０２）。ステップＳ５０２以下の処理は、図９のステップＳ３０２以下の処理と同様であるため、ステップＳ５０２以下の処理についての説明は省略する。
【０１０１】
以上のとおり、図１３に示すフローチャートの処理によれば、Ｘ２列上の発光点３００が順番に発光するように、第１の励起光ＥＬ１が表示フィルム１１２の内部に繰り返し導入される。このとき、第１の励起準位２１０の電子密度がすべての発光点３００で飽和状態にならないように、第１の励起光ＥＬ１の出力が調整される。
【０１０２】
図１４は、本実施形態に係る第２励起光出力処理の手順を示すフローチャートである。
【０１０３】
まず、第２制御ユニット１５０は、第２の光源制御部として、発光位置Ｘ２，Ｙｎの変数ｎにｎ＝１を設定する（ステップＳ６０１）。
【０１０４】
次に、第２制御ユニット１５０は、発光位置Ｘ２，Ｙｎの発光点３００の設定輝度を認識する（ステップＳ６０２）。
【０１０５】
次に、第２制御ユニット１５０は、位置Ｙｎにおける第１の励起光ＥＬ１の減衰量を推定する（ステップＳ６０３）。より具体的には、第２制御ユニット１５０は、所定のマップ情報を参照して、位置Ｙｎにおける第１の励起光ＥＬ１の減衰量を推定する。
【０１０６】
次に、第２制御ユニット１５０は、第１および第２の励起光ＥＬ１，ＥＬ２の強度に対応する発光点３００の発光強度特性から第２の光源１３１の出力を設定する（ステップＳ６０４）。より具体的には、第２制御ユニット１５０は、まず、ステップＳ６０２に示す処理で認識した設定輝度と、ステップＳ６０３に示す処理で推定した第１の励起光ＥＬ１の減衰量とに基づいて、第２の励起光ＥＬ２の強度を設定する。第２制御ユニット１５０は、第１および第２の励起光ＥＬ１，ＥＬ２の強度と発光点３００の発光強度との関係を示すマップ情報を参照して、位置Ｘ２，Ｙｎの発光点３００の輝度が設定輝度になるように、第２の励起光ＥＬ２の強度を設定する。そして、第２制御ユニット１５０は、所定のマップ情報を参照して、第２の光源１３１の出力を設定する。
【０１０７】
次に、第２制御ユニット１５０は、第２の光源１３１を制御して、ステップＳ６０４に示す処理で設定した出力で第２の励起光ＥＬ２を出力させる（ステップＳ６０５）。ステップＳ６０５以下の処理は、図５のステップＳ２０４以下の処理と同様であるため、ステップＳ６０５以下の処理についての説明は省略する。
【０１０８】
以上のとおり、図１４に示すフローチャートの処理によれば、Ｘ２列上の発光点３００が順番に発光するように、第２の励起光ＥＬ２が表示フィルム１１２の内部に繰り返し導入される。このとき、発光点３００における第１の励起光ＥＬ１の減衰量が推定され、第１の励起光ＥＬ１の減衰量を第２の励起光ＥＬの出力で補完するように、第２の光源１３１の出力が調整される。具体的には、表示フィルム１１２の第１端面１１２ｂから発光点３００までの距離が遠いほど、第２の光源１３１の出力が増加するように、第２の光源１３１の出力が調整される。
【０１０９】
次に、図１５Ａ〜図１５Ｃを参照して、本実施形態に係る蛍光発光ディスプレイ１００の作用効果について詳細に説明する。
【０１１０】
図１５Ａは、蛍光発光ディスプレイ１００の表示面１１２ａ上の第１および第２の発光点３１０，３２０を示す図である。図１５Ｂおよび図１５Ｃは、第１および第２の発光点３１０，３２０における蛍光体微粒子１１１内の電子の状態を示す図である。なお、以下では、すべての発光点３００の設定輝度が同じ場合を例に挙げて説明する。
【０１１１】
図１５Ａに示すとおり、本実施形態の蛍光発光ディスプレイ１００では、第１の励起光ＥＬ１の減衰分を第２の励起光ＥＬ２の出力で補完するように、第２の光源１３１の出力が調整される。具体的には、表示フィルム１１２の第１端面１１２ｂからの距離が第１の発光点３１０よりも遠い第２の発光点３２０を発光させる場合、第２の光源１３１の出力が増加される。
【０１１２】
このような構成によれば、図１５Ｂおよび図１５Ｃに示すとおり、第１の励起準位２１０の電子密度が第１および第２の発光点３１０，３２０間で異なる場合でも、第２の励起準位２２０の電子密度が同じになる。その結果、第１および第２の発光点３１０，３２０の輝度も同じになり、表示面１１２ａの輝度が均一化される。
【０１１３】
以上のとおり、説明した本実施形態は、第１〜第３実施形態の効果に加えて、以下の効果を奏する。
【０１１４】
（ｅ）第１の励起光ＥＬ１の減衰分が第２の励起光ＥＬ２により補完されて、発光点３００の輝度が均一化されるため、発光点３００毎に第１の光源１２１の出力を調整する必要がない。また、第１の光源１２１の出力を増加させる必要がないため、第１の励起光ＥＬ１が伝搬される各部の負荷が緩和され、蛍光発光ディスプレイ１００の信頼性が向上する。
【０１１５】
（第５実施形態）
次に、図１６Ａ〜図１６Ｃを参照して、本発明の第５実施形態について説明する。本実施形態は、第１実施形態と第４実施形態とを組み合わせて実施する実施形態である。
【０１１６】
図１６Ａ〜図１６Ｃは、本実施形態に係る蛍光発光ディスプレイ１００の作用効果を説明するための図である。なお、以下では、すべての発光点３００の設定輝度が同じ場合を例に挙げて説明する。
【０１１７】
本実施形態の蛍光発光ディスプレイ１００では、第１の励起光ＥＬ１の減衰を第１の光源１２１の出力を増加させて補完する処理と、第２の光源１３１の出力を増加させて補完する処理とが、発光点３００の位置に応じて切り替えられる。
【０１１８】
具体的には、図１６Ａおよび図１６Ｂに示すとおり、たとえば、表示フィルム１１２の第１端面１１２ｂからの距離が近い第１および第２の発光点３１０，３２０を発光させる場合、第１の光源１２１の出力を調整して、第１の励起光ＥＬ１の強度を増加させる。一方、図１６Ｃに示すとおり、表示フィルム１１２の第１端面１１２ｂからの距離が遠い第３の発光点３３０を発光させる場合、第２の光源１３１の出力を調整して、第２の励起光ＥＬ２の強度を増加させる。
【０１１９】
このような構成によれば、発光点３００の位置に応じて、第１および第２の光源１２１，１３１の消費エネルギーがより小さくなる処理を発光点３００毎に選択することにより、蛍光発光ディスプレイ１００の総合的なエネルギー消費量を最小化できる。
【０１２０】
以上のとおり、説明した本実施形態は、第１〜第４実施形態の効果に加えて、以下の効果を奏する。
【０１２１】
（ｆ）第１の励起光ＥＬ１の減衰を第１の光源１２１の出力を増加させて補完する処理と、第２の光源１３１の出力を増加させて補完する処理とが切り替えられるため、蛍光発光ディスプレイ１００の総合的なエネルギー消費量を最小化できる。
【０１２２】
以上のとおり、説明した第１〜第５実施形態において、本発明の蛍光発光ディスプレイ１００を説明した。しかしながら、本発明は、その技術思想の範囲内において当業者が適宜に追加、変形、および省略できることはいうまでもない。
【０１２３】
たとえば、上述した第２〜第５実施形態では、蛍光発光ディスプレイ１００が情報を単色表示する場合を例に挙げて説明した。しかしながら、第１実施形態の変形例と同様に、第２〜第５実施形態においても、蛍光発光ディスプレイ１００が３色の蛍光を発して、情報をカラー表示してもよい。
【０１２４】
また、上述した第１〜第５実施形態では、１つの光源から発せられた励起光が配光器によって複数の光ファイバに選択的に伝搬された。しかしながら、複数の光ファイバのそれぞれに対して光源が設けられ、配光器を用いることなく、各光源から光ファイバに励起光が伝搬されてもよい。
【０１２５】
また、上述した第１〜第５実施形態では、第１の励起光と第２の励起光とを２次元平面内で交差させて情報を２次元表示する場合を例に挙げて説明した。しかしながら、たとえば、蛍光体微粒子を分散させて保持した立方体状の表示媒体によって表示ユニットを構成し、第１および第２の励起光を上下方向（Ｚ方向）にスキャンすることにより、情報を３次元表示してもよい。
【０１２６】
また、上述した第１〜第５実施形態では、２つの励起光により蛍光体微粒子を励起して発光させる場合を例に挙げて説明した。しかしながら、本発明は、３つ以上の励起光により蛍光体微粒子を発光させる場合にも適用される。たとえば、３つの励起光により蛍光体微粒子を励起して発光させる場合、第１の励起準位の電子密度を発光点間で同じにしたり、第１の励起光の減衰分を残りの励起光の出力で補完したりする。
【符号の説明】
【０１２７】
１００  蛍光発光ディスプレイ（表示装置）、
１１０  表示ユニット、
１１１  蛍光体微粒子（発光体）、
１１２  表示フィルム（表示媒体）、
１１２ａ  表示面、
１１２ｂ  第１端面（光入射面）、
１１２ｃ  第２端面、
１２０  第１光源ユニット、
１２１  第１の光源、
１２２  第１の配光器、
１２３  第１の光ファイバ、
１２４  第１のコリメータレンズ（第１の導入部材）、
１３０  第２光源ユニット、
１３１  第２の光源、
１３２  第２の配光器、
１３３  第２の光ファイバ、
１３４  第２のコリメータレンズ（第２の導入部材）、
１４０  第１制御ユニット（制御部、第１の光源制御部）、
１５０  第２制御ユニット（第２の光源制御部）、
２００  基底準位、
２１０  第１の励起準位、
２２０  第２の励起準位、
３００，３１０，３２０，３３０  発光点、
ＥＬ１  第１の励起光、
ＥＬ２  第２の励起光、
ＲＬ１  蛍光。
【図１】
2018054751.tif 000003
【図２】
2018054751.tif 000004
【図３】
2018054751.tif 000005
【図４】
2018054751.tif 000006
【図５】
2018054751.tif 000007
【図６Ａ】
2018054751.tif 000008
【図６Ｂ】
2018054751.tif 000009
【図６Ｃ】
2018054751.tif 000010
【図７Ａ】
2018054751.tif 000011
【図７Ｂ】
2018054751.tif 000012
【図７Ｃ】
2018054751.tif 000013
【図８】
2018054751.tif 000014
【図９】
2018054751.tif 000015
【図１０】
2018054751.tif 000016
【図１１Ａ】
2018054751.tif 000017
【図１１Ｂ】
2018054751.tif 000018
【図１１Ｃ】
2018054751.tif 000019
【図１２Ａ】
2018054751.tif 000020
【図１２Ｂ】
2018054751.tif 000021
【図１２Ｃ】
2018054751.tif 000022
【図１３】
2018054751.tif 000023
【図１４】
2018054751.tif 000024
【図１５Ａ】
2018054751.tif 000025
【図１５Ｂ】
2018054751.tif 000026
【図１５Ｃ】
2018054751.tif 000027
【図１６Ａ】
2018054751.tif 000028
【図１６Ｂ】
2018054751.tif 000029
【図１６Ｃ】
2018054751.tif 000030